(57)【要約】  開示されているのは、外部壁（５８）と、外部壁とコンテナの主軸（５１）の間に延在する内部壁（５９）と、外部壁に面する内部壁（５９）の表面（６０）の側に専ら存在している化粧品（４３）と、を含む化粧品コンテナ（２１）である。
2018521771.tif 000002
【特許請求の範囲】
【請求項１】
化粧品コンテナ（２１）において、
−  外部壁（５８）と、
−  前記外部壁と前記コンテナの主軸（５１）の間に延在する内部壁（５９）と、
−  前記外部壁に面する前記内部壁（５９）の表面（６０）の側に専ら存在している化粧品（４３）と、
を含むことを特徴とする、化粧品コンテナ。
【請求項２】
一方の端部に少なくとも１つの開口部（２８）を有する、請求項１に記載のコンテナ。
【請求項３】
互いに面する少なくとも２つの開口部（２８）を有する、請求項１ないし２の少なくともいずれか１項に記載のコンテナ。
【請求項４】
前記軸（５１）に向って延在する少なくとも１つの開口部（２８）を有する、請求項１ないし３の少なくともいずれか１項に記載のコンテナ。
【請求項５】
前記コンテナの開口部（２８）に向って製品を押すための手段（２２、２３）を含む、請求項１ないし４の少なくともいずれか１項に記載のコンテナ。
【請求項６】
前記手段がピストン（２２）および好ましくはバネ（２３）を含む、請求項５に記載のコンテナ。
【請求項７】
前記コンテナの１つ以上の開口部（２８）を閉鎖するためのバルブ（１８）をさらに含む、請求項１ないし６の少なくともいずれか１項に記載のコンテナ。
【請求項８】
前記バルブが、前記バルブを閉鎖位置に戻すための手段（４６）を含む、請求項７に記載のコンテナ。
【請求項９】
請求項１ないし８のいずれか１項に記載のコンテナを含む化粧品用物品（５０；１５０）。
【請求項１０】
ケース（４７、４８）および、格納位置とこの格納位置の場合よりもアプリケータが前記ケースからさらに外向きに延在している伸長位置との間で前記ケースとの関係において可動でありながら前記ケースに締結されているアプリケータ（１１；１１１）を含み、好ましくは、前記アプリケータが前記軸（５１）に平行な経路に沿って前記格納位置から前記伸長位置まで移動するように配設されている、請求項９に記載の化粧品用物品（５０；１５０）。
【請求項１１】
前記ケースの内部で前記アプリケータ（１１；１１１）上に製品を送出するための手段（２８、４５、３０）を含む、請求項１０に記載の物品（５０；１５０）。
【請求項１２】
前記アプリケータが、前記格納位置から前記伸長位置まで移動するときに前記アプリケータ（１１；１１１）上に製品を送出するように配設された、請求項１０または１１の少なくともいずれか１項に記載の物品（５０；１５０）。
【請求項１３】
前記アプリケータ（１１；１１１）が、前記格納位置から前記伸長位置まで移動するときに前記コンテナを開放するように配設された、請求項１０ないし１２の少なくともいずれか１項に記載の物品（５０；１５０）。
【請求項１４】
前記アプリケータ（１１；１１１）が、前記伸長位置に到達したときに前記コンテナが閉鎖されるように配設された、請求項１０ないし１３の少なくともいずれか１項に記載の物品（５０；１５０）。
【請求項１５】
前記アプリケータ（１１；１１１）上に既定量の製品を送出することのできる、請求項１０ないし１４の少なくともいずれか１項に記載の物品（５０；１５０）。
【請求項１６】
前記アプリケータ（１１；１１１）が突起（３）を含み、前記突起の１つの端部上に専ら製品を送出することのできる、請求項１０ないし１５の少なくともいずれか１項に記載の物品（５０；１５０）。
【請求項１７】
前記突起のいくつかのみに対面してまたは前記突起のいくつかのみの上でアプリケータ（１１；１１１）上に製品を送出するように配設された、請求項１６に記載の物品（５０；１５０）。
【請求項１８】
前記アプリケータが、本体（１、２）および、格納位置とこの格納位置の場合よりも突起が前記本体からさらに外向きに延在している伸長位置との間で前記本体との関係において可動的に組付けられている突起（３）を含み、前記アプリケータは好ましくは、前記突起の自由端部が、前記格納位置から前記伸長位置まで軸（５１）に対して横断方向の経路をたどるように配設されている、請求項１０ないし１７の少なくともいずれか１項に記載の物品（５０）。
【発明の詳細な説明】
【技術分野】
【０００１】
本発明は、化粧品用物品に関する。
【背景技術】
【０００２】
米国特許出願第２０１０／００６５０８０号は、ペンタイプ構成をもつマスカラ塗布用の物品を開示している。したがって、この物品は、細長いケースおよび、マスカラコンテナ内に浸漬されている格納位置とメイクアップを可能にする伸長位置を占有するために該ケースとの関係において摺動的に組付けられたアプリケータを含む。
【０００３】
この構成の利点は、ブラシがキャップ上に組付けられこのキャップがコンテナ上にネジ込まれていてユーザがキャップのネジを緩めブラシにアクセスするのに両手を用いなければならない従来の物品と比べ、メイクアップを行うのに片手だけでこの物品を使用できるという点にある。
【０００４】
しかしながら、アプリケータは格納位置においてコンテナの内部で製品中に浸漬されているため、アプリケータは大量の製品がロードされた状態でケースから退出し、この製品の大部分、特にアプリケータの中心近くの製品はメイクアップのために使用されない。
【０００５】
さらに、この製品は空気と接触状態にあるため、より急速に乾燥する傾向があり、このことが物品の寿命を短縮させる。
【０００６】
コンテナ内での浸漬は別の問題、すなわち、同様に製品をより急速に乾燥させる傾向をもちコンテナ内部の製品の寿命を短縮させる、コンテナ内への空気の進入の問題を提起する。
【発明の概要】
【発明が解決しようとする課題】
【０００７】
本発明の目的は、化粧品用物品を改良することにある。
【０００８】
したがって本発明は、化粧品用コンテナにおいて、
−  外部壁と、
−  外部壁とコンテナの主軸の間に延在する内部壁と、
−  外部壁に面する内部壁の表面の側に専ら存在している化粧品と、
を含む化粧品用コンテナに関する。
【０００９】
こうして、このコンテナが化粧品用物品中で使用される場合、コンテナ内部の製品は、物品アプリケータと接触状態にない。詳細には、製品とアプリケータは、物品が使用されていない場合、接触していない。したがって、アプリケータは製品の中に浸漬されておらず、したがって、使用されるときに過剰に製品がロードされていることはない。さらに、アプリケータに製品を供給するためにコンテナが使用される場合を除いて、コンテナを外気から隔離するのは極めて容易である。
【００１０】
本発明は、ペンタイプの化粧品用物品に特に有利であるが、このような構成に限定されない。したがって、本発明のコンテナは、コンテナを含むケースの主要な部分を閉鎖するために使用されるキャップに対してロッドを用いてアプリケータが剛性締結されている従来の構成を有する物品のためにも使用可能であると考えられる。
【００１１】
有利には、コンテナは一方の端部に少なくとも１つの開口部を有する。
【００１２】
この開口部は、製品がコンテナから退出し、この開口部の反対側にあると考えられるアプリケータにロードすることを可能にする。
【００１３】
好ましくは、コンテナは、互いに面する少なくとも２つの開口部を有する。
【００１４】
こうして、アプリケータの少なくとも２つの相対する側に製品をロードすることが可能である。
【００１５】
より好ましくは、コンテナは、軸の方向に延在する少なくとも１つの開口部を有する。
【００１６】
この構成は、アプリケータがこの軸によりキャッチされる中央配設にある場合に、このアプリケータ上に製品を送出するために特に有利である。
【００１７】
コンテナは、コンテナの開口部に向って製品を押すための手段を含むことができると考えられる。
【００１８】
これらの手段は、製品がコンテナから退出できるようにする。
【００１９】
有利には、これらの手段は、ピストンおよび好ましくはバネを含む。
【００２０】
このピストンは、少なくとも１つの開口部が開放している場合に製品がコンテナから退出するのに充分な圧力を製品に対し加えることを可能にする。
【００２１】
好ましくは、コンテナはさらに、コンテナの１つ以上の開口部を閉鎖するためのバルブを含む。
【００２２】
こうして、このバルブは、コンテナを閉鎖する位置にある場合、製品が退出するのを妨げ、コンテナの中味を外気から隔離し、こうして特に乾燥を制限することでその物性を維持する。
【００２３】
バルブは、バルブを閉鎖位置に戻すための手段を含むことができると考えられる。
【００２４】
特に、こうしてバルブは、ロードすべきアプリケータがひとたび開口部の前を通過した時点でコンテナの開口部を自動的に再び閉じることができるようになる。例えば、これらの戻し手段は１つ以上の戻しバネ板を含んでいてよい。
【００２５】
本発明は、同様に、本発明に係るコンテナを含む化粧品用物品にも関する。
【００２６】
物品は、ケースおよび、格納位置とこの格納位置の場合よりもアプリケータがケースからさらに外向きに延在している伸長位置との間でケースとの関係において可動でありながらケースに締結されているアプリケータを含むことができると考えられる。
【００２７】
好ましくは、この物品は、アプリケータが軸に平行な経路に沿って格納位置から伸長位置まで移動するように配設されている。
【００２８】
有利には、該物品は、ケースの内部でアプリケータ上に製品を送出するための手段を含む。
【００２９】
こうして、コンテナの開放が関与するこの送出は、その中身を周囲環境に過度に曝露することなく発生し、これらによってさらに製品の物性が維持されることになる。
【００３０】
該物品は、アプリケータが格納位置から伸長位置まで移動する場合にアプリケータ上に製品を送出するように配設され得ると考えられる。
【００３１】
一実施形態において、該物品は、アプリケータが、格納位置から伸長位置まで移動するときにコンテナを開放するように配設されている。
【００３２】
有利には、該物品は、アプリケータが伸長位置に到達したときにコンテナが閉鎖されるように配設されている。
【００３３】
この特徴は同様に、外気に対するコンテナの中身の曝露を制限し、製品の物性を維持する。
【００３４】
好ましくは、該物品は、アプリケータ上に既定量の製品を送出することができる。
【００３５】
アプリケータは、突起（３）を含み得ると考えられ、該物品は、突起の１つの端部上に専ら製品を送出することができる。
【００３６】
したがって、目的は、メイクアップの成果を得るために必要とされる精確な量に、送出される製品の量を制限することにある。
【００３７】
一実施形態において、該物品は、突起のいくつかのみに対面してまたは突起のいくつかのみの上でアプリケータ上に製品を送出するように配設されている。
【００３８】
これらの条件の下で、最初の突起の上に存在する製品は、メイクアップのためにアプリケータが使用されるときに、他の突起に対して部分的に移送される。これらの特徴も同様に、特に塊の無い優れたメイクアップの成果を得るのに必要とされる精確な量の使用に有利に作用する。
【００３９】
好ましくは、コンテナは物品内に取外し可能な形で組付けられている。
【００４０】
こうして、コンテナが空であるかまたはもはや満足のいく形で使用され得ない場合、このコンテナを容易に新しいコンテナと交換することができる。別の解決法は、同じコンテナに製品を再装填することからなる。
【００４１】
有利には、アプリケータは、本体および、格納位置とこの格納位置の場合よりも突起が本体からさらに外向きに延在している伸長位置との間で本体との関係において可動的に組付けられている突起を含み、アプリケータは好ましくは、突起の自由端部が格納位置から伸長位置まで軸に対して横断方向の経路をたどるように配設されている。
【００４２】
各々の自由端部は、アプリケータの長手方向軸に実質的に直交する経路をたどることができると考えられる。
【００４３】
経路と長手方向軸によって形成される角度は同様に、６０°〜１２０°であることができると考えられる。
【００４４】
コンテナは、例えば突起が格納位置にあるときにアプリケータを製品でコーティングすることができるようにするため、このタイプのアプリケータに極めて好適である。
【００４５】
本発明の他の特徴および利点は、非限定的な例として示されている２つの実施形態についての以下の説明を読み、図面を参照した時点で明確になるものである。
【図面の簡単な説明】
【００４６】
【図１】本発明の一実施形態に係る化粧品用物品の斜視図である。
【図２Ａ】毛がアプリケータ本体内に格納された状態にある構成における図１の物品のアプリケータの斜視図である。
【図２Ｂ】毛が本体から外向きに突出した状態にある構成における図１の物品のアプリケータの斜視図である。
【図３Ａ】図２Ａのアプリケータの軸方向断面図である。
【図３Ｂ】図２Ｂのアプリケータの軸方向断面図である。
【図４Ａ】アプリケータの一段階の分解組立図である。
【図４Ｂ】毛がアプリケータ本体から外向きに突出した状態にある形態におけるこの段階の図である。
【図４Ｃ】毛が本体内に格納された状態にある形態におけるこの段階の図である。
【図５Ａ】アプリケータの分解組立図である。
【図５Ｂ】アプリケータおよび物品の内部部品の斜視図である。
【図５Ｃ】アプリケータおよび物品の内部部品の斜視図である。
【図６】物品の内部チューブおよびバルブならびに出口ノズルを示す。
【図７】バルブの立面図である。
【図８】ケースに進入するおよびケースから離れるアプリケータの運動ならびにアプリケータに進入するおよびアプリケータから離れる毛の運動を制御するためのサブアセンブリの分解組立図である。
【図９】物品の内部チューブの軸方向断面図を示す。
【図１０】制御サブアセンブリが中に位置付けされるチューブの軸方向断面図である。
【図１１Ａ】アプリケータがケース内に完全に延在し毛が格納されている位置にある物品を示す。
【図１１Ｂ】アプリケータがケースから外向きに延在し毛が格納されている位置にある物品を示す。
【図１１Ｃ】アプリケータがケースから外向きに延在し毛のいくつかがアプリケータ本体から外向きに突出している位置にある物品を示す。
【図１２Ａ】先の図のアプリケータをより大きい縮尺で示す。
【図１２Ｂ】先の図のアプリケータをより大きい縮尺で示す。
【図１２Ｃ】先の図のアプリケータをより大きい縮尺で示す。
【図１３】本発明の第２の実施形態に係る化粧品用物品の断面図である。
【図１４】この物品のブラシの図である。
【発明を実施するための形態】
【００４７】
ここで、図１〜１２Ｃを参照しながら、本発明に係る物品５０の一実施形態について説明する。化粧品はこの場合、まつげのメイクアップ用マスカラである。
【００４８】
物品５０は、「ペンタイプの」ケースを含む。この物品は、軸５１を有しこの軸を中心にして対称である全体として細長い形状を有する。ケースは、軸５１に直交する平面内で円形の横断面を有する全体として円筒形状の外部面５２を有する。
【００４９】
ケースは、外側に、軸５１を中心として同軸的に互いとの関係において回転可動的に組付けられている。本書の残りの部分においては、便宜上、部品４８を固定部品と呼び部品４７を可動部品と呼ぶ。
【００５０】
ブラシ
図２Ａ〜２Ｄは、該物品のマスカラアプリケータ１１を示す。この場合、このアプリケータはブラシである。
【００５１】
ブラシは、軸５１に対し直交する平面内で円形の横断面を伴う円筒形状の外部面を有する本体１を含む。本体は、細長い支持体１および、互いに同一で支持体と同軸的に積み重ねられて支持体をその一方の端部において伸長させるディスク２を含む。この場合、ディスク２は２６個存在し、当然のことながら、この数は限定されない。本体は同様に、支持体の反対側のその一方の端部においてディスクのスタックを終結するキャップ５を含む。したがって本体の外部面は、支持体１、ディスク２およびキャップ５の外部面によって形成される。
【００５２】
ブラシは、この場合柔軟な毛３である突起を含む。ただし、比較的剛性の歯またはピンも使用可能である。
【００５３】
ブラシは、毛３が本体１の外部面から突出することなく完全に本体１の内部に延在している構成および、毛がこの面から突出している構成を有する。
【００５４】
図４Ａ〜４Ｃは、連続する任意の２つのディスク２におけるアプリケータの一区分を詳細に示す。
【００５５】
ディスク２は互いに嵌合される。したがって、各ディスクはその面の１つの上にスタッド１４、この場合には４本のスタッドを含み、その反対側の面には、一連のディスク内の後続する隣接ディスクのそれぞれのスタッドを収容するための同数のキャビティを含む。こうして、ディスクは互いとの関係において精確に位置付けされ固定され、軸を中心にして互いとの関係において旋回することまたはこの軸と直交する方向で互いとの関係において摺動することが妨げられている。積み重ねられたディスクは、さまざまな手段によってリンクされてよい。この場合、ディスクは、接触状態にあるそれらの面によって互いに接着されている。同じことは、接触状態にある面によって互いに接着されているキャップ５についておよびスタックの最初のディスクに接着されている支持体１についてもあてはまる。したがって、これにより、本体を形成する剛性アセンブリが作り出される。
【００５６】
ディスク２は、２つの隣接するディスクがその界面において、この場合８個であるセル３７を画定するように構成される。各セルは、この場合、主軸５１に直交して配向された軸５３を有する円錐台形状を有する。円錐台のより幅広の横断面は、本体の外部面に位置する。各セル３７は、その軸５３に直交する平面内で円形の横断面を有する。セルは、軸５１を中心にして半径方向に配設され、この軸を中心にして規則的に分布させられる。各セルの半分はディスクの１つによって形成され、もう一方の半分はもう一方のディスクにより形成される。したがって、ディスクのうちの１つのディスクの各面は、半径方向の半錐台形の陥凹を有する。
【００５７】
ディスクの脆弱化を回避するため、各ディスクの一方の面の陥凹は、他方の面の陥凹との関係において軸５１を中心にして角度的にオフセットされている。そうでなければ、実際、ディスクの厚みは、陥凹の底面において極めて小さくなると考えられる。「クラウン」なる用語は、軸５１に直交する所与の平面内に延在するセル群を表わす。各ディスクの陥凹の角度的オフセットは、２つの連続するセルクラウン内のセルの角度的オフセットを決定する。各クラウン内のセルの数を考慮すると、このオフセットはこの場合、１６分の１回転である。
【００５８】
ディスクは、セル３７が内部に向って開放する陥凹をその中心に有する。
【００５９】
この実施形態においては、各セル３７が１本のみの毛３を収容し、こうして等しい数の毛およびセルが存在するようなっている。こうしてセル３７と同様に、毛３は、軸５１に直交する所与の平面と結び付けられた８本の毛を含むクラウンを形成する。
【００６０】
毛は軸５１の周り全体に延在し、いくつかは軸の両側で直径方向に相対していることが分かる。毛は、軸に対し平行な行を形成する。行は、軸を中心にして規則的に分布させられ、毛は各行内で規則的に離隔されている。
【００６１】
この実施形態において、各毛の隆起部は、特に図４Ａに示されているように、ビード１３の形を有する。この場合、ビードは、毛の自由端部の方に向けられたビードの側に平担な面を有する。ビードは、毛の中間部分に延在し、したがって、その各々の端部から一定の距離を置いたところにある。
【００６２】
この例においては、各クラウンの毛３は１つの群を形成し、この群中で毛は、この場合毛の内側端部によって互いに付着されている。したがって、この群には、特に図４Ａに示された星形構成が付与される。図４Ａ〜４Ｃに示されているように、毛がそれぞれのセル内に収納されるように、このタイプの毛の群が２つの連続するディスクの間に介在させられる。
【００６３】
毛は、マスカラアプリケータブラシを製造するために一般に使用される任意の材料で作製され得る。所与の突起群の毛は、異なる材料で作製され得る。さらに、異なる段に位置する毛は、必ずしも同じ組成を有するわけではない。
【００６４】
各々の毛群は、毛が取付けられる中央リング１２を含む。この物品は、アクチュエータを形成する直線ロッド４を含む。リング１２はその中心に開口部１５を有し、こうしてアクチュエータ４が各リング内を進むことができるようにしている。全てのリングはこうして、アクチュエータ上を通り抜け、軸の方向に沿って互いに対し当接した状態にある。こうして、アプリケータの所与の段の毛の群１０の中央部分１２は、より上位および／またはより下位の段の毛の群の中央部分と接触状態にあり、こうして、以下で見て行くように、格納位置または突出位置に来ることになる。アクチュエータ４はその自由端部に、アクチュエータ上でリングを軸方向にブロックするための部材４０を含む。
【００６５】
アクチュエータ４は、アプリケータの毛が格納位置から伸長位置までおよびその逆に移動できるように、軸の方向に沿って本体１内に摺動的に組付けられている。アクチュエータ４は、余剰厚み部分８を含み、支持体１は、格納位置と結び付けられた本体内のアクチュエータの運動行程の限界を決定するためにこの余剰厚み部分と協働するように適応された肩部４１を含む。他方の方向へのアクチュエータの行程を限定するための配設が、さらに提供される。
【００６６】
特に図２Ａおよび３Ａに示されている格納位置において、毛は完全に本体１内に延在する。特に図２Ｂおよび３Ｂに示された伸長位置においては、毛３は、各毛の長さの大部分にわたり、軸５１に対する半径方向を基準として本体から外向きに突出する。したがって、ここでは、毛の各々の自由端部が格納位置から伸長位置までアプリケータの長手方向軸５１を横断する横方向の経路をたどるような形でアプリケータが配設されることが分かる。
【００６７】
毛を格納位置から伸長位置まで移動させるためには、アクチュエータ４は、その長手方向軸に沿って、図１に示された方向Ｔで、線形並進運動を受ける。反対の変更を行なうためには、アクチュエータは、方向Ｓでその長手方向軸に沿って線形並進運動を受ける。
【００６８】
格納位置で、ビード１３は、本体内において本体の外部面から明らかにセットバックした状態にある。この実施形態において、毛の自由端部は、この面と同一平面内にある。したがって全体としてスリーブ形状の自由容積が、ビードの上方かつ毛の周りでセル内に創出される。この自由容積は、以下で見て行くように、メイクアップ製品がロードされるように意図されている。
【００６９】
例えば図４Ｂに例示された伸長位置において、ビードは本体の面から突出する。したがって、ビードの上方のセルの容積を満たしていたメイクアップ製品体積は、全体的に除去され、今や完全に本体の外側にある。伸長位置で、各群の毛は、図４Ａに例示されているように、その全てが軸５１に直交する同一の平面内に存在する。こうして、アクチュエータの端部は、キャップの中央陥凹３８内に収納される。
【００７０】
格納位置では、毛は、２つの屈曲を伴う「Ｓ字形」を有する。このことは、毛が格納位置にある場合そのセルから退出している必要がなく、ケース内にアプリケータを保管するために必要とされる空間が削減されるという利点を提供する。この目的で、ディスクの中央空間は、軸５１に対して平行である毛の内部端部部分を収容するのに充分な大きさを有するように設計される。
【００７１】
機構
ここで、ブラシ１１の本体１からの毛３の退出およびケースからのブラシの退出を制御するための機構について説明する。この機構は、制御サブアセンブリ３６を含む。制御サブアセンブリは、特に、ガイド２０、プッシャ２５、バネ２７、ブラシ出し入れ用バレル２６およびニードル９を含む。
【００７２】
アクチュエータ４の遠位端部区分が毛に剛性連結されていることを見てきた。アクチュエータのもう一方の近位端部は、特に図５Ｃに例示されているように、制御サブアセンブリ３６の中央直線ニードル９の遠位端部に剛性締結されている。
【００７３】
ニードル９は、図１０に示されている通り、その近位端部により中空円筒形プッシャ２５の遠位端部に剛性連結されている。この連結は、例えば螺合によって行なうことができる。
【００７４】
したがって、こうして共に剛性連結され全てケースとの関係において軸５１に沿って摺動する複数の部品、すなわちプッシャ２５、ニードル９およびアクチュエータ４の集合体が形成される。
【００７５】
サブアセンブリはさらに、第１にケースとの関係において、第２に、螺入されるニードル９との関係において、軸５１に沿って摺動する形で組付けられた中空で全体的に円筒形の部品によって形成されたバレル２６を含む。
【００７６】
バレル２６とプッシャ２５の間で軸方向にバネ２７が挿入され、ニードル９に螺入される。このバネは、その遠位端部でバレル２６の近位端部の肩部に対して、そしてその近位端部でプッシャ２５の遠位端部に対して当接している。
【００７７】
機構は、同様に全体的に円筒形状の中空部品によって形成されたガイド２０も含んでいる。この部品はその遠位端部で開放している。この部品は同様に、軸５１に対して平行で互いに対面して延在する２つの細長い側方スロット５４を有するように開放している。この部品は、ケースの可動部分４７に対し、剛性締結される。その結果、部分４７が操作された場合、ガイド２０も操作される。
【００７８】
プッシャ２５は、その近位端部に、ガイドのスロット５４内に収容されスロット内で摺動してガイドとの関係においてプッシャを誘導するように適応された２つの隆起部３５を含む。
【００７９】
この制御サブアセンブリは、図９および図１０に示されているように、チューブ１９の内部に配設される。図９に示されているチューブは、ガイド２０に位置する近位端部を有し、ケースの遠位端部にあるその遠位端部がアプリケータの退出用のオリフィス１７を有している円筒形のチューブである。
【００８０】
ガイドの近くに位置するチューブの一部分の内側において、チューブは、チューブの内部に溝を形成する２重らせんネジ山３３を有する。ネジ山は、２つの異なるピッチで軸５１に沿って２つの連続する区分５５、５６を有する。こうして、チューブの近位端部から出発する第１の区分は、第１のピッチを有し、第２の区分は、第１のピッチよりも小さい第２のピッチを有する。プッシャの隆起部３５は、その表面から突出するスタッド４２を有する。これらのスタッドは、チューブ１９の２重ネジ山３３の２つの連続する区分５５、５６を通過するように適応されている。
【００８１】
チューブ１９は、バレル２６の近位端部３８のためのストッパを形成する内部環状隆起部２９を、チューブの中間部分内に有する。
【００８２】
チューブ１９は、少なくとも１つの開口部、好ましくは、退出オリフィス１７の近くのその遠位端部に位置する２つの半径方向開口部３０を有する。２つの開口部は、軸のいずれの側でも互いに直径方向に相対している。
【００８３】
チューブの遠位端部部分は、チューブの残りの部分の中の横断面に比べて大きい漏斗状の横断面を有する。このより大きな横断面によって、バルブ１８の位置付けが可能になる。
【００８４】
図１１Ａ〜１２Ｃに示されているように、チューブ１９は、ケース内に配設されている。チューブの周りに残っている環状周辺空間は、マスカラコンテナ２１により占有されている。
【００８５】
コンテナ
したがって、マスカラコンテナ２１またはカートリッジは、円形環状横断面を伴う円筒形のスリーブの形状を有する。このコンテナは、同軸である外部壁５８と内部壁５９とを含む。マスカラ４３は、これら２つの壁と内部壁の外部面６０の側の間に専ら位置している。この側は、コンテナ内に全く製品が存在しない場合、外部壁の内部面と対面している。コンテナは、ケースの固定部分４８に、剛性締結されている。
【００８６】
以下で見て行くように、ブラシ１１は、コンテナ内の製品４３と接触状態になく、ブラシが使用されない場合には製品内に延在していない。
【００８７】
この場合、コンテナ２１は、退出オリフィス１７に近いコンテナの遠位端部に位置する２つの開口部２８を有する。これらの開口部は、内部チューブの２つの類似の開口部３０と整列させられる。これらの開口部は、半径方向で軸５１の方を向いている。
【００８８】
マスカラは、複数の方法でコンテナから退出することができる。この場合、マスカラは、コンテナの少なくとも１つの開口部が開放された場合に圧力によりこの開口部を通ってマスカラが退出させられるように、コンテナの内部で加圧下に保たれる。
【００８９】
この場合、図１１Ａ〜１３に示されているように、マスカラは、ピストン２２およびバネ３３機構によってコンテナ内で加圧下に保たれる。バネおよびピストンは、それらを収納するコンテナの形状と類似の環状形状を有する。ピストン２２は、コンテナの壁と接触状態にある。ピストンは軸５１の方向に沿ってコンテナの内部を摺動することができる。バネ２３は、その遠位端部でピストンに対し、そしてその近位端部でコンテナの近位端部に対し押圧する。コンテナのマスカラが排出されるにつれて、ピストンはバネの作用下でコンテナの遠位端部に向って移動する。
【００９０】
装置はさらに、特に図７で示されているバルブ１８を含む。このバルブは、全体的に円筒形の形状を有し、その側壁に位置する少なくとも１つ、好ましくは複数の半径方向開口部４５を有する。このバルブはチューブ１９との関係において摺動的に組付けられ、その漏斗状の区分の中に収納されている。バルブは、その中央に、ブラシ１１が横断するように適応された軸５１の円筒形ハウジングを有する。
【００９１】
バルブは、近位位置から遠位位置まで移動することができる。バルブ１８の近位位置は、バルブ開口部４５がコンテナ２１およびチューブ１９の開口部と整列していない閉鎖位置である。遠位位置は、バルブ開口部がコンテナおよびチューブの開口部と整列している開放位置である。
【００９２】
バルブは、バルブを近位位置に戻すための軸５１の１つ以上の螺旋状バネ板４６を有する。バネ板は、バルブ本体の遠位面に締結された近位端部と、オリフィス１７の縁部に対し軸方向に押圧する自由遠位端部とを有する。したがって、これらのバネ板は、ひとたびマスカラアプリケータがケースから外に出た時点で、コンテナからのマスカラの分配を停止させる。
【００９３】
バルブは、ブラシをケースから退出させるためのブラシの運動の作用下で摩擦により、閉鎖位置から開放位置まで摺動する。反対方向への摺動は、戻りバネ板の作用下で発生する。
【００９４】
動作
アプリケータは以下のように動作する。
【００９５】
物品が図１および１１Ａの構成にあり、ブラシ１１が完全にケースの内部に存在し、格納位置にあり、その毛３は、完全に本体１の内部にある、したがって格納位置にある、ということが仮定される。
【００９６】
可動部分４７、ひいてはガイド２０は、軸５１を中心にして固定部分４８との関係において回転させられる。
【００９７】
このとき、プッシャを誘導するための隆起部３５のスタッド４２は、チューブ１９のネジ山３３の第１の近位区分内を走行する。これらの隆起部は、ガイド２０のスロット５４内で回転がブロックされていることから、プッシャ２５は、方向Ｔで軸５１の方向に沿って摺動する。
【００９８】
プッシャ２５は、摺動するにつれて、バネ２７の作用下で、バネ２７、バレル２６、ニードル９、アクチュエータ４およびブラシ１１を同伴する。図１１Ｂに示されているように、この摺動によってアプリケータは、ケース本体から退出させられる。今や全てのブラシディスクがケースの外にある。摺動は、バレル２６の近位端部３８がチューブ１９の肩部２９に対し軸方向に当接するまで続く。
【００９９】
アプリケータが退出するまでの運動中、ブラシ１１は、摩擦によって、バルブの中を進むブラシの本体と接触状態にあるバルブ１８の摺動をひき起こし、こうしてバルブは、閉鎖位置から開放位置まで移動する。したがってこれにより、コンテナ２１、チューブ１９およびバルブ１８の開口部２８、３０、４５は整列する。
【０１００】
バネ・ピストン機構により及ぼされた圧力の作用下で、マスカラは、２つの開口部２８を通ってコンテナから退出し、チューブおよびバルブの中を進み、ブラシのセル３７のいくつかの自由容積内に展延する。これらのセルは、ブラシが開口部の前を移動するときに製品の流れに曝露されるセルである。他のセルには、製品は装填されない。
【０１０１】
当接後、ユーザがケースの可動部分を回転させ続けることが分かっているため、プッシャ２５は、チューブ１９のネジ山の第２の遠位区分を通って現在走行しているプッシャを誘導するため、隆起部３５のスタッドをＴ方向に摺動させ続ける。したがって、この摺動は、バネ２７を圧縮しながら発生する。プッシャは軸に沿ってニードル９およびアクチュエータ４を駆動し、こうして毛３を、アプリケータ本体の内部の格納位置から、図１１Ｃに示されているようにアプリケータ本体から外向きに突出する伸長位置まで移動させる。
【０１０２】
この動作中、バネ２７は運動の第１の部分の間、すなわちバレル２６がチューブの肩部２９に対し当接するまでは圧縮されない、という点に留意されたい。運動のこの第１の部分は、隆起部のスタッドがチューブのネジ山３３の第１の部分（より大きなピッチを伴う部分）を通って走行している部分に対応する。運動のこの第１の部分は、アプリケータ本体からのブラシの退出に対応する。
【０１０３】
次に、バネ２７は、隆起部のスタッドがチューブのネジ山３３の第２の区分内を走行するにつれて発生する運動の第２の部分において圧縮され、こうしてアプリケータの毛はアプリケータの本体から退出できるようになる。
【０１０４】
毛が退出するにつれて、製品がロードされたセルと結び付けられた毛は、そのビードと共に、当初セル内に装填されたマスカラを運ぶ。したがって、マスカラがロードされるのは、毛の全長ではなく毛の自由端部部分である。特に、ビードとブラシ本体の間に延在するブラシの部分は、マスカラがロードされていないか、または非常に少量しかロードされていない。したがって、ブラシには、メイクアップに必要とされる精確な量のマスカラがロードされる。
【０１０５】
この実施形態において、チューブ１９の開口部およびコンテナの開口部は、それらの周囲の一部分のみの周りに延在する。このことはすなわち、ブラシが通過するにつれて、セル３７のいくつかだけにマスカラが装填され、この時点で一部のセルは装填されない、ということを意味している。これは、本発明の好ましい実施形態を表わす。したがって、マスカラがロードされていない毛は、マスカラがロードされた毛によりまつげ上に被着されたマスカラを展延させることができる。当初マスカラがロードされなかった毛は、まつ毛に沿ってより効率良くマスカラを展延させる。まつげをメイクアップする場合、マスカラは当初ロードされた毛からまつげへと移送されると同時に、当初ロードされていない毛へも移送され次にこれらの毛からまつげへと移送される。通常、メイクアップ後には最少量のマスカラしかブラシに残留しない。
【０１０６】
詳細には、ブラシには、ケースから完全に退出する前と同様、毛がブラシ本体から退出する前に、マスカラがロードされるということが分かる。これらの特徴の各々が、独自の利点を有する。ケースから退出する前にブラシにロードすることによって、コンテナ内の製品が直接外気と接触することが防がれ、こうして乾燥のリスクは削減される。毛が退出する前にセル内でブラシにロードすることで、ブラシ上に被着されるべき製品の量は減少する。
【０１０７】
ブラシ上にロードされるマスカラの量は、セルの自由容積ひいてはブラシおよび毛の構成に大幅に依存している。
【０１０８】
図１３および１４に例示されている第２の実施形態において、物品１５０は、従来のマスカラアプリケータ、例えば毛が格納可能でないアプリケータを含む。この場合、アプリケータは、２本の金属撚線の間に捕捉された毛３を含む綿棒タイプのブラシ１１１である。このようなアプリケータは、それがケースの内部に完全に延在する位置を占有してよく、その場合、その中央部分においてケース内部で利用可能な直径は、毛が伸長された状態のアプリケータの直径よりも小さいことから、毛は自らの上に屈曲させられる。このようなアプリケータは、このとき、先に示された通り、主軸に沿って長手方向でＴ方向に摺動することができる。
【０１０９】
アプリケータは、バルブを通って移行するにつれて、バルブを開放位置に移動させ、こうしてブラシにマスカラをロードできるようにする。
【０１１０】
したがって、ブラシ本体から外向きに毛を伸長させる運動が発生せず、機構の対応する部品が欠如しているという点を除いて、動作は先の実施形態について説明したものと同一である。
【０１１１】
代替的には、使用されるバルブ１８は、先に説明したものと異なっていてよい。したがって、近位端部の一部分にわたるバルブの直径は、バルブの公称直径よりも小さい。アプリケータの直径は、バルブの公称直径以下であり、バルブの縮小直径よりも大きい。こうして、アプリケータの突起はバルブの縮小部分に粘着し、アプリケータの本体が物品から退出するにつれてこの本体に沿って横たわり、こうしてバルブを退出オリフィス１７に向って駆動し、こうしてバルブ１８のオリフィス４５は管１９および化粧品用コンテナ２１のオリフィス３０および２８と整列することになる。これらのオリフィスを整列させることで、コンテナ内に保管された製品４３は退出することができるようになる。突起がひとたび小径を有するバルブの部分を通過したならば、これらの突起は起立し、そのうちいくつかはバルブのオリフィスの反対側に来て、その端部に製品がロードされる。アプリケータがひとたび物品本体から外向きに伸長したならば、バルブの戻りバネ板４６はバルブを軸５１に沿ってＳ方向に駆動し、こうしてバルブ、管およびコンテナのオリフィスはもはや整列しなくなり、このため、化粧品の分配を終了する。
【０１１２】
当然のことながら、本発明の範囲から逸脱することなく、多くの修正を加えることが可能である。
【０１１３】
例えば、ケースの構成を修正することが可能であると考えられる。例えば、取外し可能なキャップを含むケースを用いて本発明を実施することができると考えられる。この場合、アプリケータはキャップに対し永続的に締結され得ると考えられる。
【０１１４】
セルの各リングは、上述のものと異なる数のセルを含むことができると考えられる。同じことは、各々の毛群にもあてはまる可能性がある。
【０１１５】
アプリケータは必ずしもブラシであるとは限らない。アプリケータは、フロック加工されたアプリケータまたは櫛であってもよい。
【０１１６】
突起は毛ではなく、むしろ歯またはピンで形成され得ると考えられる。
【０１１７】
物品の多くの特徴を互いに独立して実施することができる。詳細には：
−  格納位置と、この格納位置の場合よりもアプリケータの突起がアプリケータの本体からさらに外向きに延在している伸長位置との間での、アプリケータの突起の可動な組立、
−  製品が、外部壁に面する内部壁の表面の側に専ら存在している、外部壁および内部壁を伴うコンテナの構成、および
−  格納位置と、この格納位置の場合よりもアプリケータがケースからさらに外向きに延在している伸長位置との間での、ケースとの関係におけるアプリケータの可動な組立、
という３つの態様を互いに独立して実施することが可能であると考えられる。
【０１１８】
ピストンをコンテナ内に戻すためのバネ２３を、別の戻し部材で置換することができる。
【０１１９】
コンテナは、バルブ以外の閉鎖部材により閉鎖され得る。例えば、コンテナの口に取外し可能な栓を備えることができる。
【図１】
2018521771.tif 000003
【図２Ａ】
2018521771.tif 000004
【図２Ｂ】
2018521771.tif 000005
【図３Ａ】
2018521771.tif 000006
【図３Ｂ】
2018521771.tif 000007
【図４Ａ】
2018521771.tif 000008
【図４Ｂ】
2018521771.tif 000009
【図４Ｃ】
2018521771.tif 000010
【図５Ａ】
2018521771.tif 000011
【図５Ｂ】
2018521771.tif 000012
【図５Ｃ】
2018521771.tif 000013
【図６】
2018521771.tif 000014
【図７】
2018521771.tif 000015
【図８】
2018521771.tif 000016
【図９−１０】
2018521771.tif 000017
【図１１Ａ】
2018521771.tif 000018
【図１１Ｂ】
2018521771.tif 000019
【図１１Ｃ】
2018521771.tif 000020
【図１２Ａ】
2018521771.tif 000021
【図１２Ｂ】
2018521771.tif 000022
【図１２Ｃ】
2018521771.tif 000023
【図１３】
2018521771.tif 000024
【図１４】
2018521771.tif 000025
【国際調査報告】
2018521771.tif 000026
2018521771.tif 000027
2018521771.tif 000028
2018521771.tif 000029
2018521771.tif 000030
2018521771.tif 000031